(57)【要約】【課題】従来の墓にも容易に納骨室内を換気する構造を提供する。【解決手段】墓１００は、墓石１０と、納骨部２０と、納骨室換気ユニット６０とを備える。納骨部２０は、周囲を壁２１で囲まれており、その囲まれた空間を納骨室２２とするものである。納骨室換気ユニット６０は納骨室２２を換気するものであり、拝石３０と、香炉４０と、換気通路部５１および５２とにより構成されている。拝石３０は納骨室２２への入り口である入り口開口部２５を覆い、香炉４０は拝石３０の上面に載置されている。換気通路部５１および５２は、外部と納骨室２２とを繋ぐ香炉４０および拝石３０を貫通した通路であり、開口部４１の底面から真直ぐ下に向かって香炉４０の下部および拝石３０の上面から下面に渡って貫通した態様になっている。【選択図】      図１
0003151535.tif 000002
【実用新案登録請求の範囲】
【請求項１】
周囲を壁で囲まれており、その囲まれた空間を納骨室とする納骨部と、
前記納骨部の上面奥側に位置する墓石と、
前記納骨部の上面手前側に位置する前記納骨室への入り口である入り口開口部を覆う拝石および前記拝石の上面に載置された香炉により構成された前記納骨室内を換気する納骨室換気ユニットと
を具備し、
前記香炉は、前記香炉を貫通した通路である第１の換気通路部を少なくとも２つ備え、
前記拝石は、前記香炉を前記拝石の上面に載置させた際に前記香炉における前記第１の換気通路部と連続して繋がる前記拝石の上面から下面に渡って貫通した通路である第２の換気通路部を前記第１の換気通路部の数に応じた数備え、
少なくとも２つの前記第１の換気通路部および前記第２の換気通路部により外部と前記納骨室内とを繋ぎ、前記納骨室内を換気することを特徴とする墓。
【請求項２】
前記第１の換気通路部および前記第２の換気通路部のいずれかに空気を吸い込んでその吸い込んだ空気を送り出す送風部を設け、
前記送風部は、前記納骨室内の空気を吸い込んで外部にその空気を送り出し、他の前記第１の換気通路部および前記第２の換気通路部から外部の空気を取り入れることにより前記納骨室内を換気するか、外部の空気を吸い込んで前記納骨室内にその空気を送り出し、他の前記第１の換気通路部および前記第２の換気通路部から前記納骨室内の空気を外部に送り出すことにより前記納骨室内を換気することを特徴とする請求項１記載の墓。
【請求項３】
周囲を壁で囲まれることにより形成された空間である納骨室への入り口である入り口開口部を覆う拝石と、前記拝石の上面に載置された香炉とにより構成された前記納骨室内を換気する納骨室換気ユニットであって、
前記香炉は、前記香炉を貫通した通路である第１の換気通路部を少なくとも２つ備え、
前記拝石は、前記香炉を前記拝石の上面に載置させた際に前記香炉における前記第１の換気通路部と連続して繋がる前記拝石の上面から下面に渡って貫通した通路である第２の換気通路部を前記第１の換気通路部の数に応じた数備え、
少なくとも２つの前記第１の換気通路部および前記第２の換気通路部により外部と前記納骨室内とを繋ぎ、前記納骨室内を換気することを特徴とする納骨室換気ユニット。
【請求項４】
前記香炉は、前面に開口部を備え、
前記第１の換気通路部は、前記香炉における前記開口部の底面から前記香炉の下面に渡って貫通した通路であることを特徴とする請求項３記載の納骨室換気ユニット。
【請求項５】
前記第１の換気通路部および前記第２の換気通路部のいずれかに空気を吸い込んでその吸い込んだ空気を送り出す送風部を設け、
前記送風部は、前記納骨室内の空気を吸い込んで外部にその空気を送り出し、他の前記第１の換気通路部および前記第２の換気通路部から外部の空気を取り入れることにより前記納骨室内を換気するか、外部の空気を吸い込んで前記納骨室内にその空気を送り出し、他の前記第１の換気通路部および前記第２の換気通路部から前記納骨室内の空気を外部に送り出すことにより前記納骨室内を換気することを特徴とする請求項３記載の納骨室換気ユニット。
【請求項６】
前記送風部の動力源が太陽電池であることを特徴とする請求項５記載の納骨室換気ユニット。
【考案の詳細な説明】
【技術分野】
【０００１】
本考案は、墓に関し、特に、納骨室内を換気する構造を有した墓に関する。
【背景技術】
【０００２】
従来の墓は、納骨室が密閉されていたため、納骨室内の湿度が高くなり、納骨室内に水が溜まることがあった。その結果、納骨室内に収められた骨壷内にも水が溜まることがあった。以上のような現象は、湿度が高い場所、地域では、特に顕著に顕われていた。
【０００３】
以上のような問題点を解決するものとして、墓石の脇に位置する台（例えば、納骨室の上面を形成する上壁）、および納骨室を構成する側壁に穴を開けて通路を設け、墓石の脇の台の通路には太陽電池により駆動する換気用モーター付ファンを取り付けた墓が提案されていた（例えば、特許文献１参照。）。
【先行技術文献】
【特許文献】
【０００４】
【特許文献１】実用新案登録第３１４３３６７号公報
【考案の概要】
【考案が解決しようとする課題】
【０００５】
しかしながら、既存の従来の墓を施工して、既存の墓を上記のような換気用モーター付ファン付の墓にする場合、問題点がある。問題点の一つ目は、納骨室を構成する壁、および墓石の脇に位置する台（例えば、納骨室の上面を形成する上壁）が御影石により構成されることによる施工の困難さである。近年、墓は御影石により構成されることが多い。墓で用いられる御影石は硬度が高く、加工は難しい。特に、既に現場に設置されている御影石で構成された墓を施工して、納骨室を構成する側壁に穴を開けて通路を設けたり、墓石の脇に位置する台（例えば、納骨室の上面を形成する上壁）に穴を開けて通路を設けたりするという場合、その現場で施工することになるため、余計に加工が難しい。
【０００６】
また、問題点の二つ目は、既に現場に設置されている墓の納骨室を構成する側壁に穴を開けて通路を設けることの困難さである。例えば、納骨室を形成する壁の材質がコンクリートの場合、納骨室の側壁に穴を開ける際には、ドリルにより納骨室の外側および内側から穴を開ける必要がある。納骨室の外側からドリルで側壁を施工する場合、施工空間が取れるため施工はし易いが、納骨室の内側からドリルで側壁を施工する場合、納骨室内の空間は狭いため施工が難しい。納骨室を構成する壁が御影石ではなくコンクリートのような材質であっても、既に現場に設置されている墓に通路を設ける施工を施すことは難しい。
【０００７】
そこで、本考案は、従来の墓にも容易に納骨室内を換気する構造を提供する納骨室換気ユニットおよびその納骨室換気ユニットを用いた墓を提供することを目的とする。
【課題を解決するための手段】
【０００８】
本考案は、上記課題を解決するためになされたものであり、本考案の墓は、周囲を壁で囲まれており、その囲まれた空間を納骨室とする納骨部と、上記納骨部の上面奥側に位置する墓石と、上記納骨部の上面手前側に位置する上記納骨室への入り口である入り口開口部を覆う拝石および上記拝石の上面に載置された香炉により構成された上記納骨室内を換気する納骨室換気ユニットとを具備し、上記香炉は、上記香炉を貫通した通路である第１の換気通路部を少なくとも２つ備え、上記拝石は、上記香炉を上記拝石の上面に載置させた際に上記香炉における上記第１の換気通路部と連続して繋がる上記拝石の上面から下面に渡って貫通した通路である第２の換気通路部を上記第１の換気通路部の数に応じた数備え、少なくとも２つの上記第１の換気通路部および上記第２の換気通路部により外部と上記納骨室内とを繋ぎ、上記納骨室内を換気することを特徴とするものである。これにより、納骨室内を換気させるという作用をもたらす。
【０００９】
また、本考案の墓において、上記第１の換気通路部および上記第２の換気通路部のいずれかに空気を吸い込んでその吸い込んだ空気を送り出す送風部を設け、上記送風部は、上記納骨室内の空気を吸い込んで外部にその空気を送り出し、他の上記第１の換気通路部および上記第２の換気通路部から外部の空気を取り入れることにより上記納骨室内を換気するか、外部の空気を吸い込んで上記納骨室内にその空気を送り出し、他の上記第１の換気通路部および上記第２の換気通路部から上記納骨室内の空気を外部に送り出すことにより上記納骨室内を換気することを特徴とする。これにより、湿度の高い場所、地域においても納骨室内を容易に換気させるという作用をもたらす。
【００１０】
また、本考案の納骨室換気ユニットは、周囲を壁で囲まれることにより形成された空間である納骨室への入り口である入り口開口部を覆う拝石と、上記拝石の上面に載置された香炉とにより構成された上記納骨室内を換気する納骨室換気ユニットであって、上記香炉は、上記香炉を貫通した通路である第１の換気通路部を少なくとも２つ備え、上記拝石は、上記香炉を上記拝石の上面に載置させた際に上記香炉における上記第１の換気通路部と連続して繋がる上記拝石の上面から下面に渡って貫通した通路である第２の換気通路部を上記第１の換気通路部の数に応じた数備え、少なくとも２つの上記第１の換気通路部および上記第２の換気通路部により外部と上記納骨室内とを繋ぎ、上記納骨室内を換気することを特徴とするものである。これにより、従来の墓における拝石および香炉を上記納骨室換気ユニットに交換するか、従来の墓における拝石および香炉を施工して上記納骨室換気ユニットにすることにより、従来の墓にも容易に納骨室内を換気する構造をもたらす。
【００１１】
また、本考案の納骨室換気ユニットにおいて、上記香炉は、前面に開口部を備え、上記第１の換気通路部は、上記香炉における上記開口部の底面から上記香炉の下面に渡って貫通した通路であることを特徴とする。これにより、従来の墓における拝石および香炉を上記納骨室換気ユニットに交換するか、従来の墓における拝石および香炉を施工して上記納骨室換気ユニットにすることにより、従来の墓にも容易に納骨室内を換気する構造をもたらす。
【００１２】
また、本考案の納骨室換気ユニットにおいて、上記第１の換気通路部および上記第２の換気通路部のいずれかに空気を吸い込んでその空気を送り出す送風部を設け、上記送風部は、上記納骨室内の空気を吸い込んで外部にその空気を送り出し、他の上記第１の換気通路部および上記第２の換気通路部から外部の空気を取り入れることにより上記納骨室内を換気するか、外部の空気を吸い込んで上記納骨室内にその空気を送り出し、他の上記第１の換気通路部および上記第２の換気通路部から上記納骨室内の空気を外部に送り出すことにより上記納骨室内を換気することを特徴とする。これにより、湿度の高い場所、地域においても納骨室内を容易に換気させる構造を従来の墓にもたらす。
【００１３】
また、本考案の納骨室換気ユニットにおいて、上記送風部の動力源が太陽電池であることを特徴とする。これにより、上記送風部の動力源の管理を容易にさせるという作用をもたらす。
【考案の効果】
【００１４】
本考案によれば、納骨室内を換気する構造を有した墓を提供することができるという優れた効果を奏し得る。また、従来の墓にも容易に納骨室内を換気する構造を提供することができるという優れた効果を奏し得る。
【図面の簡単な説明】
【００１５】
【図１】本考案の実施の形態における墓１００を示す図である。
【図２】本考案の実施の形態における納骨室換気ユニット（拝石３０、香炉４０および換気通路部５１乃至５３）の態様を示す図である。
【図３】本考案の別の実施の形態における墓２００を示す図である。
【考案を実施するための形態】
【００１６】
次に、本考案の実施の形態について図面を参照して詳細に説明する。
【００１７】
図１は、本考案の実施の形態における墓１００を示す図である。そのうち、図１（ａ）は、本考案の実施の形態における墓１００の斜視図であり、図１（ｂ）は、本考案の実施の形態における墓１００の正面図である。
【００１８】
本考案の実施の形態における墓１００は、墓石１０と、納骨部２０と、拝石３０と、香炉４０と、換気通路部５１および５２と、花立て８１ａおよび８１ｂと、水入れ８２とを備える。
【００１９】
墓石１０は、図１（ａ）に示すように後述する納骨部２０の上面奥側に位置しており、竿石１１と、上台１２と、中台１３と、芝台１４とを備える。墓石１０を構成する竿石１１と、上台１２と、中台１３と、芝台１４とは、例えば天然石を所定の大きさに切断してその表面を磨くことにより製作されるが、材質は天然石に限るものではない。すなわち、墓石１０における材質は、石材に限定されず、コンクリート、セラミック、木材、金属、樹脂、その他採用可能な全ての材質を含む。
【００２０】
竿石１１は、仏石、石碑と呼ばれることもあり、上台１２より一回り小さい柱形状（図１においては、角柱形状）をしている。そして、一般的に竿石１１には、家名、個人名、戒名等が刻まれる。また、竿石１１は、図１（ａ）に示すように上台１２の上面に載置された状態で固定されている。
【００２１】
上台１２は、例えば中台１３より一回り小さい直方体形状をしており、図１（ａ）に示すように中台１３の上面に載置された状態で固定されている。なお、上台１２の形状は、中台１３より一回り小さい直方体形状に限るものではなく、その他の形状大きさであってもよい。
【００２２】
中台１３は、例えば芝台１４より一回り小さい直方体形状をしており、図１（ａ）に示すように芝台１４の上面に載置された状態で固定されている。なお、中台１３の形状は、芝台１４より一回り小さい直方体形状に限るものではなく、その他の形状大きさであってもよい。
【００２３】
なお、本考案の実施の形態における墓石１０には、中台１３と芝台１４との間に下台を設けた態様や中台１３を除いた態様も含む。すなわち、本考案の実施の形態における墓石１０には、様々な形態の公知の墓石が含まれる。
【００２４】
納骨部２０は、周囲を壁２１で囲まれており、その囲まれた空間を骨壷を収める納骨室２２とするものである。そして、納骨部２０の上面手前側（納骨部２０における後述する拝石３０の下面に相当する位置）には、外部から納骨室２２へ骨壷を収めるための入り口に相当する開口部である入り口開口部２５がある。
【００２５】
また、納骨室２２には、棚部２３が備えられている。棚部２３は、図１（ａ）および図１（ｂ）に示すように骨壷を置くために設けられたものである。これにより、例えば納骨室２２に図１（ａ）および図１（ｂ）に示すように骨壷２４ａおよび２４ｂ、並びに（図示しない）骨壷をどんどん収めていって納骨室２２に骨壷を置くスペースがなくなっても棚部２３にも骨壷２４ｃを置くことができるため、納骨室２２に収められる骨壷の数を多くすることができる。
【００２６】
拝石３０は、上記説明した納骨室２２への入り口である入り口開口部２５における蓋の役割を果たす。香炉４０は、香をたくための器であり、拝石３０の上面に載置されている。香炉４０の形状は、図１（ａ）に示すような円柱形状の穴が３つ繋がった態様の開口部４１を有する直方体形状の箱に限るものではなく、その他の形状のものであってもよい。
【００２７】
換気通路部５１および５２は、外部と納骨室２２とを繋ぐ香炉４０および拝石３０を貫通した通路である。図１（ａ）および図１（ｂ）において換気通路部５１および５２は、開口部４１の底面から真直ぐ下に向かって香炉４０の下部および拝石３０の上面から下面に渡って貫通した態様になっている。そして、換気通路部５１および５２は左右対称な位置となるように、開口部４１における両端の円柱形状の最下部に相当する底面から真直ぐ下に向かって香炉４０の下部および拝石３０の上面から下面に渡って貫通した態様になっている。
【００２８】
しかしながら、換気通路部５１および５２は、開口部４１の底面から真直ぐ下に向かって伸びた態様ではないその他の態様であっても、香炉４０および拝石３０を貫通して外部と納骨室２２とを繋ぐ態様のものであれば本考案の範囲に含まれる。また、換気通路部５１および５２の位置は、左右対称な位置とならない位置（例えば、換気通路部５１が開口部４１における右端の円柱形状の最下部に相当する底面から真直ぐ下に向かって伸びる態様で、換気通路部５２が開口部４１における真ん中の円柱形状の最下部に相当する底面から真直ぐ下に向かって伸びる態様）であっても本考案の範囲に含まれる。
【００２９】
換気通路部５１および５２を設けることにより、外部と納骨室２２との間には、換気通路部５１および５２を通じて、例えば図１（ａ）および図１（ｂ）の矢印に示すような空気の流れが生じる。そして、納骨室２２内は空気の入れ替えが行われ換気されることになる。これにより、納骨室２２の湿度が高くなり、納骨室２２内および骨壷内に水が溜まることを防止することができる。
【００３０】
なお、外部と納骨室２２との空気の流れをさらに促進させるのに、図１（ａ）および図１（ｂ）に示すように香炉４０の背面に換気通路部５０ａを設けてもよい。この換気通路部５０ａは、香炉４０の背面から開口部４１に向かって香炉４０を貫通した態様になっている。また、換気通路部５０ａは香炉４０の背面ではなく、例えば香炉４０の上面、側面、その他の面に設ける態様であってもよいし、複数設けてもよい。これにより、外部と納骨室２２との空気の流れをさらに促進させることができる。
【００３１】
また、換気通路部５１および５２は上記説明したように香炉４０を貫通した態様になっているが、本考案において「香炉４０を貫通」とは外部と納骨室２２とを繋ぐような態様の全ての態様を含むものとする。すなわち、外部と納骨室２２とを繋ぐことができれば、香炉４０における貫通の態様は、香炉４０の一部を貫通する態様でも、香炉４０の全部を貫通する態様であってもよい。
【００３２】
さらに、本考案において、換気通路部５１および５２を有した拝石３０および香炉４０を納骨室２２内を換気する納骨室換気ユニット６０として捉えてもよい。この場合、従来からある形態の墓における拝石および香炉を納骨室換気ユニット６０に取り替えることにより、従来からある形態の墓を墓１００と同様に納骨室を換気できる墓にすることができる。また、従来からある形態の墓における拝石および香炉を施工して、拝石および香炉に換気通路部を設けることにより、従来からある形態の墓における拝石および香炉を納骨室換気ユニット６０にして従来からある形態の墓を墓１００と同様に納骨室を換気できる墓にすることができる。
【００３３】
これにより、従来の墓にも容易に納骨室内を換気する構造を提供することができる。特に、既に設置された従来の墓に納骨室内を換気する構造を提供する際に、拝石および香炉は芝台や納骨室の上壁、側壁等と違って容易に取り外しができるため、従来からある形態の墓における拝石および香炉を納骨室換気ユニット６０に施工することが容易であることから、本考案は、他の納骨室内を換気する構造よりも容易に既に設置された従来の墓に納骨室内を換気する構造を提供することができる。
【００３４】
図２は、本考案の実施の形態における納骨室換気ユニット（拝石、香炉および換気通路部）の態様を示す図である。図２（ａ）は、図１に示した墓１００における納骨室換気ユニット６０（拝石３０、香炉４０および換気通路部５１および５２）を示す図である。
【００３５】
換気通路部５１は、図２（ａ）に示すように拝石３０の上面から下面に渡って真っ直ぐに貫通した通路である換気通路部５１ａと、香炉４０における開口部４１の底面から香炉４０の下面に渡って真っ直ぐに貫通した通路である換気通路部５１ｂとから構成されている。香炉４０を拝石３０の上に載置すると、換気通路部５１ａと換気通路部５１ｂとは、連続して繋がり、香炉４０における開口部４１の底面から拝石３０の下面に渡って貫通した通路である換気通路部５１になる。
【００３６】
同様に、換気通路部５２は、図２（ａ）に示すように拝石３０の上面から下面に渡って真っ直ぐに貫通した通路である換気通路部５２ａと、香炉４０における開口部４１の底面から香炉４０の下面に渡って真っ直ぐに貫通した通路である換気通路部５２ｂとから構成されている。香炉４０を拝石３０の上に載置すると、換気通路部５２ａと換気通路部５２ｂとは、連続して繋がり、香炉４０における開口部４１の底面から拝石３０の下面に渡って貫通した通路である換気通路部５２になる。
【００３７】
そして、換気通路部５１および５２が設けられる位置は、図２（ａ）に示すように香炉４０において左右対称になるような位置が想定されるが、これに限るものではない。
【００３８】
図２（ｂ）は、換気通路部５１および５２の間に換気通路部５３および送風部５４を設けた納骨室換気ユニット６１（拝石３０、香炉４０および換気通路部５１乃至５３、送風部５４）を示す図である。送風部５４は、空気を吸い込んでその吸い込んだ空気を送り出すものであり、例えばモーター付換気用ファンにより構成することが想定されるが、これに限るものではない。
【００３９】
換気通路部５３は、図２（ｂ）に示すように拝石３０の上面から下面に渡って真っ直ぐに貫通した通路である換気通路部５３ａと、香炉４０における開口部４１の底面から香炉４０の下面に渡って真っ直ぐに貫通した通路である換気通路部５３ｂとから構成されている。そして、図２（ｂ）において送風部５４は、換気通路部５３ａに埋め込まれた態様になっているが、これに限るものではなく、換気通路部５３ｂに埋め込まれた態様やその他の態様であってもよい。すなわち、送風部５４は、換気通路部５３を通じて納骨室２２内を換気できるのに適した位置ならどの位置に取り付けられていてもよい。香炉４０を拝石３０の上に載置すると、換気通路部５３ａと換気通路部５３ｂとは、香炉４０における開口部４１の底面から拝石３０の下面に渡って貫通した通路である換気通路部５３になり、送風部５４は換気通路部５３の途中に取り付けられた態様になる。
【００４０】
なお、換気通路部５１および５２の間に換気通路部５３および送風部５４を設けた納骨室換気ユニット６１を適用した墓である墓２００については、図３で説明することとする。
【００４１】
図３は、本考案の別の実施の形態における墓２００を示す図である。墓２００は、上記説明したように、換気通路部５１および５２の間に換気通路部５３および送風部５４を設けた納骨室換気ユニット６１を墓１００に適用した墓である。したがって、墓１００において用いた名称および符号は、墓２００においても同様の役割を果たすものについてはそのまま用いるものとする。
【００４２】
図３（ａ）は、本考案の別の実施の形態における墓２００の斜視図であり、図３（ｂ）は、本考案の別の実施の形態における墓２００の正面図である。本考案の別の実施の形態における墓２００は、墓石１０と、納骨部２０と、納骨室換気ユニット６１（拝石３０、香炉４０、換気通路部５１乃至５３、送風部５４）と、電源部７０と、花立て８１ａおよび８１ｂと、水入れ８２とを備える。なお、墓石１０と、納骨部２０と、拝石３０と、香炉４０と、換気通路部５１および５２とについては、図１で説明済みであるため説明を省略することとする。
【００４３】
図３（ａ）および図３（ｂ）から明らかなように、換気通路部５３は、香炉４０における開口部４１の底面から拝石３０の下面に渡って貫通している。そして、送風部５４は換気通路部５３ａに埋め込まれた態様になっているが、図２で説明したように、送風部５４は換気通路部５３ｂに埋め込まれた態様やその他の態様であってもよい。
【００４４】
電源部７０は、送風部５４に電力を供給するものである。電源部７０として、例えば太陽電池を用いた電源が想定されるが、これに限るものではなく、その他の形態の電源であってもよい。また、電源部７０として太陽電池を用いた電源を採用する場合、例えば図３（ａ）および図３（ｂ）に示すような態様が想定される。すなわち、太陽電池７１を備えた太陽電池支持部材７２を地面に埋め込み、太陽電池７１で生成された電力を送風部５４に供給する電力供給線７３を適当な位置に配する。なお、電源部７０の態様は上記以外の態様であってもよい。
【００４５】
墓２００のように換気通路部５３に送風部５４を設けると、外部と納骨室２２との間に強制的に空気の流れを作り出すことができる。これにより、納骨室２２内の湿度をより容易に低減させることができる。このため、納骨室換気ユニット６１は、湿度が高い地域、場所における墓に納骨室換気ユニット６１を適用するとより納骨室２２内の湿度を適正な湿度状態に保つことが出来る。
【００４６】
なお、墓２００において換気通路部が３つ設けられ、そのうちの真ん中の換気通路部に送風部５４を取り付けた態様が示されたがこれに限るものではない。すなわち、墓２００において送風部５４は、いずれの換気通路部に取り付けてもよい。また、墓２００において換気通路部を２つにして、２つのうちのいずれかに送風部５４を取り付けた態様のものであってもよい。また、墓２００において換気通路部を４つ以上にして、そのうちのいずれかに送風部５４を取り付けたものであってもよい。また、以上の説明において送風部５４は１つ取り付けることが想定されているが、これに限るものではなく、２つ以上取り付ける態様であってもよい。
【００４７】
このように、本考案の実施の形態における納骨室換気ユニット６０および６１によれば、従来からある形態の墓における拝石および香炉を換気通路部を有した納骨室換気ユニット６０および６１のいずれかに取り替えるだけで、納骨室を換気することができる。また、従来からある形態の墓における拝石および香炉を施工してその拝石および香炉に換気通路部を設けて、その拝石および香炉を納骨室換気ユニット６０および６１のいずれかにすることにより納骨室を換気することができる。
【００４８】
これにより、従来の墓にも容易に納骨室内を換気する構造を提供することができる。特に、既に設置された従来の墓に納骨室内を換気する構造を提供する際に、拝石および香炉は芝台や納骨室の上壁、側壁等と違って容易に取り外しができるため、従来からある形態の墓における拝石および香炉を納骨室換気ユニット６０および６１に施工することが容易であることから、本考案は、他の納骨室内を換気する構造よりも容易に既に設置された従来の墓に納骨室内を換気する構造を提供することができる。
【００４９】
さらに、納骨室換気ユニット６０および６１を備えた墓１００および２００によれば、納骨室内の湿度を適正な湿度に保つことができる。
【００５０】
なお、本考案の実施の形態は本考案を具現化するための一例を示したものであり、これに限定されるものではなく本考案の要旨を逸脱しない範囲において種々の変形を施すことができる。
【産業上の利用可能性】
【００５１】
本考案の活用例として、納骨室の入り口の蓋の役割を果たす拝石、および拝石に載置された香炉を備えた墓に納骨室換気ユニット６０および６１を適用することができる。
【符号の説明】
【００５２】
１０  墓石
１１  竿石
１２  上台
１３  中台
１４  芝台
２０  納骨部
２１  壁
２２  納骨室
２３  棚部
２４ａ  骨壷
２５  入り口開口部
３０  拝石
４０  香炉
４１  開口部
５０ａ、５１、５２、５３  換気通路部
５４  送風部
６０、６１  納骨室換気ユニット
７０  電源部
７１  太陽電池
７２  太陽電池支持部材
７３  電力供給線
１００、２００  墓
【図１】
0003151535.tif 000003
【図２】
0003151535.tif 000004
【図３】
0003151535.tif 000005